(57)【特許請求の範囲】
【請求項１】
可撓性を有する基板、前記基板に実装されたＬＥＤおよび前記基板が移動手摺の曲線部に沿って変形可能となるように前記基板に対して固定された鉄部材を有したＬＥＤユニットと、
欄干に設けられ、前記基板が前記移動手摺の前記曲線部に沿うように前記鉄部材を吸引する磁石と
を備え、
前記鉄部材は、前記基板に貼り付けられていることを特徴とするエスカレータ欄干照明装置。
【請求項２】
前記鉄部材は、可撓性を有するスチールテープであることを特徴とする請求項１に記載のエスカレータ欄干照明装置。
【請求項３】
前記鉄部材は、前記基板の長手方向に並べて配置された複数の鉄板であることを特徴とする請求項１に記載のエスカレータ欄干照明装置。
【請求項４】
可撓性を有する基板、前記基板に実装されたＬＥＤおよび前記基板が移動手摺の曲線部に沿って変形可能となるように前記基板に貼り付けられて固定された鉄部材を有したＬＥＤユニットを欄干に取り付けるエスカレータ欄干照明装置取付方法であって、
前記欄干に磁石を取り付ける磁石取付工程と、
前記基板が前記移動手摺の前記曲線部に沿うように、前記鉄部材を前記磁石に吸引させる鉄部材吸引工程と
を備えたことを特徴とするエスカレータ欄干照明装置取付方法。
【発明の詳細な説明】
【技術分野】
【０００１】
この発明は、ＬＥＤユニットを備えたエスカレータ欄干照明装置およびＬＥＤユニットをエスカレータの欄干に取り付けるエスカレータ欄干照明装置取付方法に関する。
【背景技術】
【０００２】
従来、板状に形成された基板およびこの基板に実装された複数のＬＥＤを有した複数のＬＥＤ基板のそれぞれが基板の長手方向に一列に連結されたＬＥＤユニットと、欄干に設けられ、移動手摺の曲線部に沿うように配置されたＬＥＤユニットを欄干に取り付けるための取付部材とを備えたエスカレータ欄干照明装置が知られている（例えば、特許文献１参照）。
【先行技術文献】
【特許文献】
【０００３】
【特許文献１】特開２０１１−１１６４９８号公報
【発明の概要】
【発明が解決しようとする課題】
【０００４】
しかしながら、基板の形状が板状であるので、移動手摺の曲線部に沿うように基板を配置することができない。その結果、エスカレータ欄干照明装置の見栄えが悪いという問題点があった。
【０００５】
この発明は、移動手摺の曲線部に沿うように基板を配置することができるエスカレータ欄干照明装置およびエスカレータ欄干照明装置取付方法を提供するものである。
【課題を解決するための手段】
【０００６】
この発明に係るエスカレータ欄干照明装置は、可撓性を有する基板、前記基板に実装されたＬＥＤおよび前記基板が移動手摺の曲線部に沿って変形可能となるように前記基板に対して固定された鉄部材を有したＬＥＤユニットと、欄干に設けられ、前記基板が前記移動手摺の前記曲線部に沿うように前記鉄部材を吸引する磁石とを備え、前記鉄部材は、前記基板に貼り付けられている。
【０００７】
この発明に係るエスカレータ欄干照明装置取付方法は、可撓性を有する基板、前記基板に実装されたＬＥＤおよび前記基板が移動手摺の曲線部に沿って変形可能となるように前記基板に貼り付けられて固定された鉄部材を有したＬＥＤユニットを欄干に取り付けるエスカレータ欄干照明装置取付方法であって、前記欄干に磁石を取り付ける磁石取付工程と、前記基板が前記移動手摺の前記曲線部に沿うように、前記鉄部材を前記磁石に吸引させる鉄部材吸引工程とを備えている。
【発明の効果】
【０００８】
この発明に係るエスカレータ欄干照明装置によれば、可撓性を有する基板、この基板に実装されたＬＥＤおよび基板が移動手摺の曲線部に沿って変形可能となるように基板に対して固定された鉄部材を有したＬＥＤユニットと、欄干に設けられ、基板が移動手摺の曲線部に沿うように鉄部材を吸引する磁石とを備えているので、基板が移動手摺の曲線部に沿うように基板を変形させることができる。これにより、移動手摺の曲線部に沿うように基板を配置することができる。その結果、エスカレータ欄干照明装置の見栄えを良くすることができる。
【０００９】
この発明に係るエスカレータ欄干照明装置取付方法によれば、可撓性を有する基板、この基板に実装されたＬＥＤおよび基板が移動手摺の曲線部に沿って変形可能となるように基板に対して固定された鉄部材を有したＬＥＤユニットを欄干に取り付けるエスカレータ欄干照明装置取付方法であって、欄干に磁石を取り付ける磁石取付工程と、基板が移動手摺の曲線部に沿うように、鉄部材を磁石に吸引させる鉄部材吸引工程とを備えているので、基板が移動手摺の曲線部に沿うように基板を変形させることができる。これにより、移動手摺の曲線部に沿うように基板を配置することができる。その結果、エスカレータ欄干照明装置の見栄えを良くすることができる。
【図面の簡単な説明】
【００１０】
【図１】この発明の実施の形態１に係るエスカレータを示す側面図である。
【図２】図１のＩＩ−ＩＩ線に沿った矢視断面図である。
【図３】図２のＬＥＤユニットを示す底面図である。
【図４】図２のＬＥＤユニット上面図である。
【図５】図３のＶ−Ｖ線に沿った矢視断面図である。
【図６】図３のＶＩ−ＶＩ線に沿った矢視断面図である。
【図７】この発明の実施の形態２に係るエスカレータ欄干照明装置のＬＥＤユニットを示す平面図である。
【図８】図７のＶＩＩＩ−ＶＩＩＩ線に沿った矢視断面図である。
【図９】この発明の実施の形態３に係るエスカレータの要部を示す断面図である。
【発明を実施するための形態】
【００１１】
以下、この発明の各実施の形態を図に基づいて説明するが、各図において、同一または相当の部材、部位については、同一符号を付して説明する。
【００１２】
実施の形態１．
図１はこの発明の実施の形態１に係るエスカレータを示す側面図である。図において、下階側乗降口と上階側乗降口との間に渡って、欄干１が設けられている。欄干１には、循環移動する移動手摺２が設けられている。また、欄干１には、移動手摺２の往路側の部分に沿って延びたエスカレータ欄干照明装置３が設けられている。
【００１３】
移動手摺２は、下階側乗降口および上階側乗降口のそれぞれに位置する水平部２１と、各水平部２１の間に位置し、水平面に対して傾斜する傾斜部２２と、水平部２１と傾斜部２２との間に位置する曲線部２３とを有している。
【００１４】
図２は図１のＩＩ−ＩＩ線に沿った矢視断面図である。図において、欄干１は、ガラスパネル１１と、ガラスパネル１１に対して固定され移動手摺２を案内する手摺ガイド１２とを有している。
【００１５】
エスカレータ欄干照明装置３は、ガラスパネル１１に固定された照明ボックス３１と、照明ボックス３１に収容されたＬＥＤユニット３２と、照明ボックス３１に取り付けられた照明カバー３３と、手摺ガイド１２に取り付けられた磁石３４とを備えている。照明ボックス３１の下壁には、移動手摺２に沿って延びた開口部３１１が形成されている。ＬＥＤユニット３２は、照明ボックス３１の上壁に取り付けられている。照明カバー３３は、開口部３１１を塞いでいる。これにより、照明ボックス３１内に利用者の手等が進入することを防止することができる。照明カバー３３は、光が透過可能である材料から構成されている。手摺ガイド１２は、照明ボックス３１の上壁の上面に設けられている。つまり、手摺ガイド１２は、照明ボックス３１を介して、ガラスパネル１１に支持されている。ＬＥＤユニット３２および磁石３４は、それぞれの間に手摺ガイド１２および照明ボックス３１が挟まれるように配置されている。
【００１６】
図３は図２のＬＥＤユニット３２を示す底面図、図４は図２のＬＥＤユニット３２を示す上面図、図５は図３のＶ−Ｖ線に沿った矢視断面図、図６は図３のＶＩ−ＶＩ線に沿った矢視断面図である。図において、ＬＥＤユニット３２は、帯状に形成された可撓性を有する基板３２１と、基板３２１の一方の面に実装された６個のＬＥＤ３２２と、ＬＥＤ３２２が実装された基板３２１の面とは反対側の面に貼り付けられた可撓性を有するスチールテープ（鉄部材）３２３と、基板３２１、ＬＥＤ３２２およびスチールテープ３２３を覆う樹脂部３２４とを有している。ＬＥＤ３２２は、基板３２１の長手方向に等間隔に並べて配置されている。スチールテープ３２３は、基板３２１のほぼ全面に貼り付けられている。スチールテープ３２３が可撓性を有しているので、基板３２１は、スチールテープ３２３が基板３２１に貼り付けられた場合であっても、曲線部２３（図２）に沿って変形可能である。
【００１７】
図２に示すように、ＬＥＤユニット３２は、ＬＥＤ３２２が開口部３１１に対向しスチールテープ３２３が照明ボックス３１の上壁に対向するように配置されている。ＬＥＤユニット３２は、スチールテープ３２３が磁石３４に吸引されることにより、欄干１に取り付けられている。
【００１８】
次に、ＬＥＤユニット３２の欄干１への取付方法について説明する。まず、磁石３４を移動手摺２の曲線部２３を案内する手摺ガイド１２の部分に取り付ける（磁石取付工程）。その後、基板３２１が移動手摺２の曲線部２３に沿うように、スチールテープ３２３を磁石３４に吸引させる（鉄部材吸引工程）。以上により、ＬＥＤユニット３２が欄干１に取り付けられる。
【００１９】
以上説明したように、この発明の実施の形態１に係るエスカレータ欄干照明装置３によれば、可撓性を有する基板３２１、この基板３２１に実装されたＬＥＤ３２２および基板３２１が移動手摺２の曲線部２３に沿って変形可能となるように基板３２１に対して固定されたスチールテープ３２３を有したＬＥＤユニット３２と、欄干１に設けられ、基板３２１が移動手摺２の曲線部２３に沿うようにスチールテープ３２３を吸引する磁石３４とを備えているので、基板３２１が移動手摺２の曲線部２３に沿うように基板３２１を変形させることができる。これにより、移動手摺２の曲線部２３に沿うように基板３２１を配置することができる。その結果、エスカレータ欄干照明装置３の見栄えを良くすることができる。また、欄干１に設けられた磁石３４がスチールテープ３２３を吸引するので、ＬＥＤユニット３２を欄干１に簡単に取り付けることができる。
【００２０】
また、スチールテープ３２３は、基板３２１に貼り付けられているので、基板３２１を放熱することができる。これにより、ＬＥＤ３２２の点灯によって発生する熱が基板３２１に伝達する場合に、基板３２１の温度上昇を抑制することができる。その結果、ＬＥＤ３２２の点灯によるＬＥＤ３２２の温度上昇を抑制することができる。
【００２１】
また、ＬＥＤユニット３２は、基板３２１が移動手摺２の曲線部２３に沿って変形可能となるように基板３２１に対して固定された可撓性を有するスチールテープ３２３を有しているので、スチールテープ３２３が基板３２１の変形を抑制することが防止される。これにより、基板３２１が移動手摺２の曲線部２３に沿うように簡単に変形させながら、ＬＥＤユニット３２を欄干１に取り付けることができる。
【００２２】
この発明の実施の形態１に係るエスカレータ欄干照明装置取付方法によれば、可撓性を有する基板３２１、この基板３２１に実装されたＬＥＤ３２２および基板３２１が移動手摺２の曲線部２３に沿って変形可能となるように基板３２１に対して固定されたスチールテープ３２３を有したＬＥＤユニット３２を欄干１に取り付けるエスカレータ欄干照明装置取付方法であって、欄干１に磁石３４を取り付ける磁石取付工程と、基板３２１が移動手摺２の曲線部２３に沿うように、スチールテープ３２３を磁石３４に吸引させる鉄部材吸引工程とを備えているので、基板３２１が移動手摺２の曲線部２３に沿うように基板３２１を変形させることができる。これにより、移動手摺２の曲線部２３に沿うように基板３２１を配置することができる。その結果、エスカレータ欄干照明装置３の見栄えを良くすることができる。また、欄干１に設けられた磁石３４がスチールテープ３２３を吸引するので、ＬＥＤユニット３２を欄干１に簡単に取り付けることができる。
【００２３】
実施の形態２．
図７はこの発明の実施の形態２に係るエスカレータ欄干照明装置３のＬＥＤユニット３２を示す平面図、図８は図７のＶＩＩＩ−ＶＩＩＩ線に沿った矢視断面図である。図において、ＬＥＤユニット３２は、実施の形態１に係るエスカレータ欄干照明装置３のスチールテープ３２３と異なり、基板３２１に貼り付けられた６枚の鉄板３２５を有している。６枚の鉄板３２５は、ＬＥＤ３２２が実装された基板３２１の面とは反対側の面に貼り付けられている。６枚の鉄板３２５は、基板３２１の長手方向に並べて配置されている。６枚の鉄板３２５が基板３２１の長手方向に並べて配置されているので、基板３２１は、鉄板３２５が基板３２１に貼り付けられた場合であっても、曲線部２３（図２）に沿って変形可能である。その他の構成は、実施の形態１と同様である。
【００２４】
以上説明したように、この発明の実施の形態２に係るエスカレータ欄干照明装置３によれば、ＬＥＤユニット３２は、基板３２１が移動手摺２の曲線部２３に沿って変形可能となるように基板３２１に対して固定され基板３２１の長手方向に並べて配置された６枚の鉄板３２５を有しているので、鉄部材３２５が基板３２１の変形を抑制することが防止される。これにより、基板３２１が移動手摺２の曲線部２３に沿うように簡単に変形させながら、ＬＥＤユニット３２を欄干１に取り付けることができる。また、ＬＥＤ３２２が実装されている基板３２１の部分にのみ鉄板３２５を貼り付けることができるので、基板３２１の全面にスチールテープ３２３を貼り付ける場合と比較して、効果的に基板３２１を放熱することができる。
【００２５】
実施の形態３．
図９はこの発明の実施の形態３に係るエスカレータの要部を示す断面図である。図において、エスカレータ欄干照明装置３は、手摺ガイド１２に設けられた保持金具３５をさらに備えている。照明ボックス３１に重ねられた手摺ガイド１２の部分には、貫通孔１２１が形成されている。照明ボックス３１の上壁には、貫通孔１２１に重ねられた貫通孔３１２が形成されている。保持金具３５は、貫通孔１２１および貫通孔３１２を通るように配置されている。磁石３４は、照明ボックス３１内に配置されている。磁石３４は、保持金具３５に保持されている。その他の構成は、実施の形態１と同様である。なお、実施の形態２のように、スチールテープ３２３の換わりに複数の鉄板３２５を基板３２１に貼り付けてもよい。
【００２６】
以上説明したように、この発明の実施の形態３に係るエスカレータ欄干照明装置３によれば、手摺ガイド１２に設けられた保持金具３５をさらに備え、保持金具３５は、照明ボックス３１内に配置された磁石３４を保持するので、磁石３４とスチールテープ３２３との間の距離を近づけることができる。これにより、磁石３４がスチールテープ３２３を吸引する力を増大させることができる。その結果、ＬＥＤユニット３２を欄干１に対してより確実に取り付けることができる。
【００２７】
なお、上記実施の形態３では、保持金具３５を取り付けるために、手摺ガイド１２に貫通孔１２１を形成し、照明ボックス３１に貫通孔３１２を形成する構成について説明したが、蛍光灯装置を備えた既設のエスカレータ欄干照明装置からＬＥＤユニット３２を備えた新たなエスカレータ欄干照明装置３に交換する場合には、蛍光灯照明装置を取り付けるために既に形成された手摺ガイド１２の貫通孔１２１および照明ボックス３１の貫通孔３１２をそのまま流用してもよい。これにより、交換作業の効率化を図ることができる。
【００２８】
また、各上記実施の形態では、基板３２１の面に貼り付けられるスチールテープ３２３または鉄板３２５を有したＬＥＤユニット３２の構成について説明したが、例えば、基板３２１が樹脂部３２４に覆われ、この樹脂部３２４に貼り付けられるスチールテープ３２３または鉄板３２５を有したＬＥＤユニット３２であってもよい。
【００２９】
また、各上記実施の形態では、移動手摺２の曲線部２３を案内する手摺ガイド１２の部分に磁石３４を取り付け、基板３２１が移動手摺２の曲線部２３に沿うように、スチールテープ３２３または鉄板３２５を磁石３４に吸引させる構成について説明したが、これに加えて、移動手摺２の水平部２１または傾斜部２２を案内する手摺ガイド１２の部分に磁石３４を取り付け、基板３２１が移動手摺２の水平部２１または傾斜部２２に沿うように、スチールテープ３２３または鉄板３２５を磁石３４に吸引させる構成であってもよい。
【符号の説明】
【００３０】
１  欄干、２  移動手摺、３  エスカレータ欄干照明装置、１１  ガラスパネル、１２  手摺ガイド、２１  水平部、２２  傾斜部、２３  曲線部、３１  照明ボックス、３２  ＬＥＤユニット、３３  照明カバー、３４  磁石、３５  保持金具、１２１  貫通孔、３１１  開口部、３１２  貫通孔、３２１  基板、３２２  ＬＥＤ、３２３  スチールテープ（鉄部材）、３２４  樹脂部、３２５  鉄板（鉄部材）。
【図１】
0005804865.tif 000002
【図２】
0005804865.tif 000003
【図３】
0005804865.tif 000004
【図４】
0005804865.tif 000005
【図５】
0005804865.tif 000006
【図６】
0005804865.tif 000007
【図７】
0005804865.tif 000008
【図８】
0005804865.tif 000009
【図９】
0005804865.tif 000010